(57)【要約】【課題】  照明用の光源が点灯できない状態になった場合でも、適正な表示を維持することが可能な画像投影装置を提供する。【解決手段】  複数の光源２５と、複数の光源の中から照明に用いる光源を選択する光源選択部２４と、光源選択部によって選択された光源によって照明される素子表示部２３とをそれぞれが備えた複数の投影ユニット２０ａ，２０ｂと、複数の投影ユニットに含まれる光源部の所定の組み合わせの中から光源選択部によって選択される光源の組み合わせを選択する組み合わせ選択部と、表示素子部で表示される画像の画像データを調整する際に用いるキャリブレーションデータを、光源の所定の組み合わせに対応させて記憶する記憶部と、表示素子部で表示される画像の画像データを、組み合わせ選択部で選択された組み合わせに対応したキャリブレーションデータを用いて調整する制御部とを備える。【選択図】      図４
2005204165.tif 000002
【特許請求の範囲】
【請求項１】
複数の画像をスクリーンに投影して１つの画像を形成する画像投影装置であって、
複数の光源手段と、前記複数の光源手段の中から照明に用いる光源手段を選択する光源選択手段と、前記光源選択手段によって選択された光源手段によって照明される表示手段と、をそれぞれが備えた複数の投影ユニットであって、前記各投影ユニットの表示手段で表示される各画像が互いに異なった画像データに基づくものである複数の投影ユニットと、
前記複数の投影ユニットに含まれる光源手段の所定の組み合わせの中から前記光源選択手段によって選択される光源手段の組み合わせを選択する組み合わせ選択手段と、
前記光源手段の照明光量及び／又は前記表示手段で表示される画像の画像データを調整する際に用いるキャリブレーションデータを、前記光源手段の所定の組み合わせに対応させて記憶する記憶手段と、
前記光源手段の照明光量及び／又は前記表示手段で表示される画像の画像データを、前記組み合わせ選択手段で選択された組み合わせに対応したキャリブレーションデータを用いて調整する制御手段と、
を備えたことを特徴とする画像投影装置。
【請求項２】
前記各投影ユニットは前記複数の光源手段と前記表示手段とを有する一つのプロジェクタで構成され、該一つのプロジェクタからはスクリーンに対して一つの画像が投影される
ことを特徴とする請求項１に記載の画像投影装置。
【請求項３】
前各記投影ユニットは、それぞれが一つの前記光源手段を有する複数のプロジェクタで構成され、
各プロジェクタは、同一の画像データに基づく画像をスクリーンに投影し、スクリーン上に投影された画像が実質的に一致するに構成されている
ことを特徴とする請求項１に記載の画像投影装置。
【請求項４】
前記投影ユニットの全てにおいて二つ以上の光源手段が正常に点灯できる場合には、前記各光源選択手段は二つ以上の光源手段を選択する
ことを特徴とする請求項１に記載の画像投影装置。
【請求項５】
ある投影ユニットにおいて前記光源選択手段によって選択されている光源手段のうち正常に点灯できない光源手段が生じた場合には、前記制御手段は前記組み合わせ選択手段で選択されていない他の組み合わせに対応するキャリブレーションデータを用いる
ことを特徴とする請求項４に記載の画像投影装置。
【請求項６】
前記ある投影ユニット以外の投影ユニットの光源選択手段は、前記ある投影ユニットの正常に点灯できない光源手段に最も発光特性が近い光源手段を選択から外す
ことを特徴とする請求項５に記載の画像投影装置。
【請求項７】
前記光源手段の所定の組み合わせには、前記各投影ユニットにおいて少なくとも一つの光源手段が点灯する組み合わせの全てが含まれる
ことを特徴とする請求項１に記載の画像投影装置。
【請求項８】
前記光源手段の所定の組み合わせには、前記複数の投影ユニットそれぞれで点灯する光源手段の個数が互いに等しくなる組み合わせのみが含まれる
ことを特徴とする請求項１に記載の画像投影装置。
【請求項９】
前記記憶手段は、前記複数の投影ユニットによってスクリーンに投影される各画像が略同じ明るさの画像として観察者が認識できるように、前記キャリブレーションデータを記憶する
ことを特徴とする請求項８に記載の画像投影装置。
【請求項１０】
前記キャリブレーションデータは、各投影ユニットにおいて点灯される光源手段の数と、点灯される各光源手段の照明光量とが反比例の関係になるように設定されている
ことを特徴とする請求項９に記載の画像投影装置。
【請求項１１】
前記光源手段はランプ光源で構成され、前記制御手段は少なくとも前記表示手段で表示される画像の画像データを調整する
ことを特徴とする請求項１に記載の画像投影装置。
【請求項１２】
前記光源手段はＬＥＤ光源で構成され、前記制御手段は少なくとも前記ＬＥＤ光源の照明光量を調整する
ことを特徴とする請求項１に記載の画像投影装置。
【請求項１３】
前記複数の投影ユニットによって投影される各画像がスクリーン上で隣接するように前記各投影ユニットが配置されている
ことを特徴とする請求項１に記載の画像投影装置。
【請求項１４】
前記スクリーン上で隣接する画像の一部が互いにオーバーラップするように前記各投影ユニットが配置されている
ことを特徴とする請求項１３に記載の画像投影装置。
【請求項１５】
前記複数の投影ユニットによって投影される各画像のスクリーン上の位置が互いに半画素分シフトするように前記各投影ユニットが配置されている
ことを特徴とする請求項１に記載の画像投影装置。
【請求項１６】
前記キャリブレーションデータは、前記複数の投影ユニットによってスクリーン上で形成される画像の色補正用及び／又は幾何補正用のデータを含む
ことを特徴とする請求項１に記載の画像投影装置。
【請求項１７】
請求項１に記載の画像投影装置におけるキャリブレーションデータの算出方法であって、
前記表示手段でキャリブレーションパターン画像を表示する工程と、
前記光源手段の所定の組み合わせ毎に前記光源手段を点灯する工程と、
前記所定の組み合わせ毎に前記複数の投影ユニットからスクリーン上に投影された画像に関する色及び／又は幾何に関する情報を取得する工程と、
前記取得された情報に基づいて前記所定の組み合わせ毎にキャリブレーションデータを算出する工程と、
を備えたことを特徴とするキャリブレーションデータの算出方法。
【請求項１８】
請求項１に記載の画像投影装置におけるキャリブレーションデータの算出方法であって、
前記表示手段でキャリブレーションパターン画像を表示する工程と、
前記光源手段の所定の組み合わせのうち前記各投影ユニットで点灯される光源手段が一つである特定の組み合わせ毎に前記光源手段を点灯する工程と、
前記特定の組み合わせ毎に前記複数の投影ユニットからスクリーン上に投影された画像に関する色及び／又は幾何に関する情報を取得する工程と、
前記取得された情報に基づいて前記特定の組み合わせ毎にキャリブレーションデータを算出する工程と、
前記特定の組み合わせ毎に算出されたキャリブレーションデータを用いて、前記所定の組み合わせのうち前記特定の組み合わせ以外の組み合わせに関するキャリブレーションデータを算出する工程と、
を備えたことを特徴とするキャリブレーションデータの算出方法。
【発明の詳細な説明】
【技術分野】
【０００１】
本発明は、画像投影装置及び画像投影装置において用いられるキャリブレーションデータの算出方法に関する。
【背景技術】
【０００２】
複数の画像をスクリーンに投影して１つの画像を形成する画像投影装置（マルチプロジェクションシステム）では、投影された各画像間の繋ぎ目が目立たないようにする等の対策を講じる必要がある。そのため、スクリーン上にキャリブレーション用の画像を投影し、それをキャリブレーションカメラ等の撮影手段で撮影して、得られた画像データに基づいて幾何補正や色補正といった各種の補正を行っている（特許文献１参照）。
【０００３】
しかしながら、従来のマルチプロジェクションシステムでは、照明用の光源が点灯できない状態になった場合については、十分な対策が講じられていなかった。そのため、光源を取り替えるまでは画像を投影することができず、また、光源を取り替えた後で再度キャリブレーションデータを取り直すための時間も必要となる。
【特許文献１】特開２００２−７２３５９
【発明の開示】
【発明が解決しようとする課題】
【０００４】
このように、従来のマルチプロジェクションシステムでは、照明用の光源が点灯できない状態になった場合についての十分な対策が講じられていなかったため、投影画像が表示できない期間が生じるといった問題があった。
【０００５】
本発明は上記従来の課題に対してなされたものであり、照明用の光源が点灯できない状態になった場合でも、適正な表示を維持することが可能な画像投影装置及びキャリブレーションデータの算出方法を提供することを目的としている。
【課題を解決するための手段】
【０００６】
本発明に係る画像投影装置は、複数の画像をスクリーンに投影して１つの画像を形成する画像投影装置であって、複数の光源手段と、前記複数の光源手段の中から照明に用いる光源手段を選択する光源選択手段と、前記光源選択手段によって選択された光源手段によって照明される表示手段と、をそれぞれが備えた複数の投影ユニットであって、前記各投影ユニットの表示手段で表示される各画像が互いに異なった画像データに基づくものである複数の投影ユニットと、前記複数の投影ユニットに含まれる光源手段の所定の組み合わせの中から前記光源選択手段によって選択される光源手段の組み合わせを選択する組み合わせ選択手段と、前記光源手段の照明光量及び／又は前記表示手段で表示される画像の画像データを調整する際に用いるキャリブレーションデータを、前記光源手段の所定の組み合わせに対応させて記憶する記憶手段と、前記光源手段の照明光量及び／又は前記表示手段で表示される画像の画像データを、前記組み合わせ選択手段で選択された組み合わせに対応したキャリブレーションデータを用いて調整する制御手段と、を備えたことを特徴とする。
【０００７】
前記画像投影装置は、以下の態様を有している。
【０００８】
・前記各投影ユニットは前記複数の光源手段と前記表示手段とを有する一つのプロジェクタで構成され、該一つのプロジェクタからはスクリーンに対して一つの画像が投影される。
【０００９】
・前各記投影ユニットは、それぞれが一つの前記光源手段を有する複数のプロジェクタで構成され、各プロジェクタは、同一の画像データに基づく画像をスクリーンに投影し、スクリーン上に投影された画像が実質的に一致するに構成されている。
【００１０】
・前記投影ユニットの全てにおいて二つ以上の光源手段が正常に点灯できる場合には、前記各光源選択手段は二つ以上の光源手段を選択する。
【００１１】
・ある投影ユニットにおいて前記光源選択手段によって選択されている光源手段のうち正常に点灯できない光源手段が生じた場合には、前記制御手段は前記組み合わせ選択手段で選択されていない他の組み合わせに対応するキャリブレーションデータを用いる。
【００１２】
・前記ある投影ユニット以外の投影ユニットの光源選択手段は、前記ある投影ユニットの正常に点灯できない光源手段に最も発光特性が近い光源手段を選択から外す。
【００１３】
・前記光源手段の所定の組み合わせには、前記各投影ユニットにおいて少なくとも一つの光源手段が点灯する組み合わせの全てが含まれる。
【００１４】
・前記光源手段の所定の組み合わせには、前記複数の投影ユニットそれぞれで点灯する光源手段の個数が互いに等しくなる組み合わせのみが含まれる。
【００１５】
・前記記憶手段は、前記複数の投影ユニットによってスクリーンに投影される各画像が略同じ明るさの画像として観察者が認識できるように、前記キャリブレーションデータを記憶する。
【００１６】
・前記キャリブレーションデータは、各投影ユニットにおいて点灯される光源手段の数と、点灯される各光源手段の照明光量とが反比例の関係になるように設定されている。
【００１７】
・前記光源手段はランプ光源で構成され、前記制御手段は少なくとも前記表示手段で表示される画像の画像データを調整する。
【００１８】
・前記光源手段はＬＥＤ光源で構成され、前記制御手段は少なくとも前記ＬＥＤ光源の照明光量を調整する。
【００１９】
・前記複数の投影ユニットによって投影される各画像がスクリーン上で隣接するように前記各投影ユニットが配置されている。
【００２０】
・前記スクリーン上で隣接する画像の一部が互いにオーバーラップするように前記各投影ユニットが配置されている。
【００２１】
・前記複数の投影ユニットによって投影される各画像のスクリーン上の位置が互いに半画素分シフトするように前記各投影ユニットが配置されている。
【００２２】
・前記キャリブレーションデータは、前記複数の投影ユニットによってスクリーン上で形成される画像の色補正用及び／又は幾何補正用のデータを含む。
【００２３】
・前記画像投影装置におけるキャリブレーションデータの算出方法であって、前記表示手段でキャリブレーションパターン画像を表示する工程と、前記光源手段の所定の組み合わせ毎に前記光源手段を点灯する工程と、前記所定の組み合わせ毎に前記複数の投影ユニットからスクリーン上に投影された画像に関する色及び／又は幾何に関する情報を取得する工程と、前記取得された情報に基づいて前記所定の組み合わせ毎にキャリブレーションデータを算出する工程と、を備える。
【００２４】
・前記画像投影装置におけるキャリブレーションデータの算出方法であって、前記表示手段でキャリブレーションパターン画像を表示する工程と、前記光源手段の所定の組み合わせのうち前記各投影ユニットで点灯される光源手段が一つである特定の組み合わせ毎に前記光源手段を点灯する工程と、前記特定の組み合わせ毎に前記複数の投影ユニットからスクリーン上に投影された画像に関する色及び／又は幾何に関する情報を取得する工程と、前記取得された情報に基づいて前記特定の組み合わせ毎にキャリブレーションデータを算出する工程と、前記特定の組み合わせ毎に算出されたキャリブレーションデータを用いて、前記所定の組み合わせのうち前記特定の組み合わせ以外の組み合わせに関するキャリブレーションデータを算出する工程と、を備える。
【発明の効果】
【００２５】
本発明によれば、点灯する光源の組み合わせ毎に予めキャリブレーションデータを算出しておくことにより、光源不良が発生した場合にも連続的に画像を表示することができ、適正な表示を維持することが可能となる。
【発明を実施するための最良の形態】
【００２６】
（実施形態１）
図１は、本発明の第１の実施形態に係るマルチプロジェクションシステム（画像投影装置）の機能的な構成を示したブロック図である。
【００２７】
基本的な構成は通常のマルチプロジェクションシステムと同様であり、システム全体の制御を行うマルチプロジェクションシステム制御部１０、スクリーン上に投影する画像を表示する画像表示部２０、キャリブレーションパターン（キャリブレーション用の画像）を生成するキャリブレーションパターン生成部３０、画像表示部２０からスクリーン上に投影されたキャリブレーションパターンを撮影する画像撮影部４０、撮影されたキャリブレーションパターンに基づいて各種画像補正データ（キャリブレーションデータ）を算出する画像補正データ算出部５０及び、算出された画像補正データを用いて入力画像データを補正して出力画像データを生成する画像変換部６０を備えている。
【００２８】
図２は、本実施形態に係るマルチプロジェクションシステムの外観構成を示した説明図である。二つの投影ユニットすなわちプロジェクタ２０ａ及びプロジェクタ２０ｂから画像をスクリーン７０に投影し、隣接する画像が互いにオーバーラップするようにして、１つの画像を形成するようになっている。なお、プロジェクタ２０ａ及びプロジェクタ２０ｂは、図１に示した画像表示部２０に含まれる。また、ここでは、２台のプロジェクタを用いた例を示しているが、プロジェクタの台数は３台以上であってもよい。
【００２９】
図３は、図１に示したマルチプロジェクションシステム制御部１０の構成例を示したブロック図である。図３に示すように、マルチプロジェクションシステム制御部１０は、キャリブレーションパターン生成部制御部１１、画像撮影部制御部１２、画像表示部制御部１３、画像補正データ算出部制御部１４、画像変換部制御部１５及び光源組み合わせ生成部１６を備えている。
【００３０】
各制御部１１〜１５からの制御信号は、画像表示部２０、キャリブレーションパターン生成部３０、画像撮影部４０、画像補正データ算出部５０及び画像変換部６０に送られ、これらの制御信号によって各部の制御が行われる。マルチプロジェクションシステム制御部１０内には、照明用の光源の組み合わせ情報が設定されており、光源組み合わせ生成部１６では、画像表示部制御部１３、画像補正データ算出部制御部１４及び画像変換部制御部１５からの情報に基づいて、予め設定されている光源組み合わせ情報の中からその時に実際に用いる光源組み合わせ情報を選択する。選択された組み合わせ情報は、使用光源情報として出力される。
【００３１】
図４は、図１に示した画像表示部２０の構成例を示したブロック図である。すでに述べたように、本例では、画像表示部２０はプロジェクタ２０ａ（投影ユニット）及びプロジェクタ２０ｂ（投影ユニット）を備えており、各プロジェクタ２０ａ及びプロジェクタ２０ｂは、プロジェクタ制御部２１、画像入力部２２、表示素子部２３、光源選択部２４、複数の光源２５、光源ミキシング部２６及び投射光学部（投射光学系）２７によって構成されている。
【００３２】
プロジェクタ制御部２１には、マルチプロジェクションシステム制御部１０から制御信号（使用光源情報等）が入力しており、プロジェクタ制御部２１によってプロジェクタ内の各部が制御される。画像入力部２２には、入力画像（入力画像ａ、入力画像ｂ）の画像データが入力しており、画像入力部２２からの画像データによって表示素子部２３で画像表示が行われる。表示素子部２３には、ＬＣＤやＤＭＤ等の表示素子が用いられる。
【００３３】
光源選択部２４では、プロジェクタ制御部２１からの使用光源情報（光源組み合わせ情報）に基づいて、その時に使用する光源を選択する。すなわち、Ｎ個の光源２５の中から、使用光源情報に基づいて指定された光源が選択される。光源２５には、超高圧水銀ランプやキセノンランプ等のランプの他、ＬＥＤ等を用いることが可能である。Ｎ個の光源２５のうち選択された光源２５のみが発光し、光源２５からの発光光は光源ミキシング部２６によってミキシングされる。光源ミキシング部２６でミキシングされた光によって表示素子部２３が照明され、表示素子部２３の画像が投射光学部２７を介してスクリーン上に投影される。
【００３４】
図５は、図１に示した画像補正データ算出部５０の構成例を示したブロック図である。図５に示すように、画像補正データ算出部５０は、撮影画像データ保存部５１、幾何補正データ算出部５２、色補正データ算出部５３及び補正データ一時保全部５４によって構成されている。
【００３５】
撮影画像データ保存部５１には、画像撮影部４０（デジタルカメラ等）で撮影されたキャリブレーションパターン撮影画像の画像情報が入力しており、このキャリブレーションパターン撮影画像の画像情報に基づいて、幾何補正データ算出部５２及び色補正データ算出部５３によって幾何補正データ及び色補正データが算出され、算出された幾何補正データ及び色補正データはキャリブレーションデータとして画像変換部６０に送られる。具体的には、幾何補正データ算出部５２で算出された幾何補正データが補正データ一時保全部５４に保存され、補正データ一時保全部５４に保存された幾何補正データ及びマルチプロジェクションシステム制御部１０からの使用光源情報を用いて、色補正データ算出部５３によって色補正データが算出される。すなわち、色補正データ算出部５３では、光源の組み合わせ毎に、光源の組み合わせに応じた色補正データを算出する。
【００３６】
なお、幾何補正データは、各プロジェクタから投影される画像の投影位置を補正するために用いられる。また、色補正データは、各プロジェクタから投影される画像に対して、輝度、色、色むら、ガンマ（γ）等を補正するために用いられる。例えば、色補正データには、各プロジェクタから投影される画像の色及び輝度の違いを補正するためのマトリックスデータ、各プロジェクタから投影される画像の色むらを補正するためのゲイン補正データ、各プロジェクタから投影される画像のオーバーラップ部の輝度の違いを補正するためのスムージングデータ、各プロジェクタから投影される画像の黒レベル（オフセットレベル）を補正するためのオフセット補正データ及び、各プロジェクタのガンマ特性の違いを補正するためのガンマ補正データ等が含まれる。
【００３７】
図６は、図１に示した画像変換部６０の構成例を示したブロック図である。図６に示すように、画像変換部６０は、補正データ保存部６１、幾何補正部６２、色補正部６３及び色補正データ選択部６４によって構成されている。
【００３８】
補正データ保存部６１には、画像補正データ算出部５０で算出された幾何補正データ及び光源の組み合わせに応じた色補正データが入力する。幾何補正部６２では、補正データ保存部６１に保持された幾何補正データを用いて、入力画像の画像データに対して幾何補正処理を施す。色補正データ選択部６４では、マルチプロジェクションシステム制御部１０からの使用光源情報に応じた色補正データを、補正データ保存部６１から選択する。すなわち、色補正データ選択部６４では、指定された光源の組み合わせに対応した色補正データを選択する。色補正部６３では、幾何補正データからの各プロジェクタ毎の補正画像情報と、色補正データ選択部６４で選択された色補正データとを用いて色補正処理を行う。このようにして補正処理の施された出力画像データａ及び出力画像データｂは、それぞれ画像表示部２０のプロジェクタ２０ａ及びプロジェクタ２０ｂに送られる。
【００３９】
図７は、光源の組み合わせの一例を示した図である。プロジェクタ台数Ｐを２、各プロジェクタ内の光源数Ｎを２とした場合の例である。図中、点灯する光源を丸印で示している。本例では、各プロジェクタにおいて少なくとも一つの光源が点灯するような全ての組み合わせを設定しており、９通り（Ｍ＝９）の色補正データが設定される。色補正データを取得する際には、９通りの光源の組み合わせ全てについて順次キャリブレーションパターン撮影画像を取得し、取得したキャリブレーションパターン撮影画像の画像データからキャリブレーションデータとして色補正データを算出する。本例では、光源の組み合わせ数が多いためキャリブレーションデータの取得に時間がかかるが、各プロジェクタにおいて少なくとも一つの光源が点灯可能であれば、適正な画像表示を継続して行うことが可能である。
【００４０】
図８は、光源の組み合わせの他の例を示した図である。本例も、プロジェクタ台数Ｐを２、各プロジェクタ内の光源数Ｎを２としている。本例では、プロジェクタそれぞれで点灯する光源の数が互いに等しくなるような組み合わせを設定している。このようにすることで、光源の発光量（明るさ）をプロジェクタ間でほぼ同等にすることができる。また、本例では、最初に全ての光源を点灯しておき、あるプロジェクタの光源に不良が生じた（ランプ切れ）場合には、他のプロジェクタでは、該不良が生じた光源に最も発光特性が近い光源を消灯するようにしている。したがって、本例では３通り（Ｍ＝３）の色補正データが設定される。色補正データを取得する際には、図７の例と同様に、３通りの光源の組み合わせ全てについて順次キャリブレーションパターン撮影画像を取得し、取得したキャリブレーションパターン撮影画像の画像データからキャリブレーションデータとして色補正データを算出するようにしてもよいが、以下のような方法を用いてもよい。
【００４１】
図９は上記キャリブレーションデータの算出方法を示したフローチャート、図１０は上記キャリブレーションデータの算出方法を用いたときの画像補正データ算出部５０の構成を示したブロック図である。
【００４２】
まず、プロジェクタａ（プロジェクタ２０ａに対応）及びプロジェクタｂ（プロジェクタ２０ｂに対応）ともに、画像表示部２０の光源２５を光源Ａに設定する（Ｓ１）。
【００４３】
続いて、キャリブレーションパターンの画像枚数で、以下のステップを実行する（Ｓ２）。まず、キャリブレーションパターン生成部３０によってキャリブレーションパターンを生成し（Ｓ３）、生成されたキャリブレーションパターンを画像表示部２０の表示素子部２３で表示する（Ｓ４）。表示素子部２３に表示されたキャリブレーションパターンはスクリーンに投影され、投影されたキャリブレーションパターンを画像撮影部４０によって撮影する（Ｓ５）。上述したＳ３〜Ｓ５のステップを、キャリブレーションパターンの画像枚数分繰り返す（Ｓ６）。続いて、画像補正データ算出部５０により、キャリブレーションパターン撮影画像を用いて、全ての光源組み合わせに共通の幾何補正データを算出する（Ｓ７）。さらに、画像補正データ算出部５０により、プロジェクタａ及びプロジェクタｂともに光源Ａを点灯した場合の色補正データ（図８の色補正データ２に対応）を算出する（Ｓ８）。
【００４４】
次に、プロジェクタａ及びプロジェクタｂともに、画像表示部２０の光源２５を光源Ｂに設定する（Ｓ９）。
【００４５】
続いて、キャリブレーションパターンの画像枚数で、以下のステップを実行する（Ｓ１０）。まず、キャリブレーションパターン生成部３０によってキャリブレーションパターンを生成し（Ｓ１１）、生成されたキャリブレーションパターンを画像表示部２０の表示素子部２３で表示する（Ｓ１２）。表示素子部２３に表示されたキャリブレーションパターンはスクリーンに投影され、投影されたキャリブレーションパターンを画像撮影部４０によって撮影する（Ｓ１３）。上述したＳ１１〜Ｓ１３のステップを、キャリブレーションパターンの画像枚数分繰り返す（Ｓ１４）。続いて、画像補正データ算出部５０により、プロジェクタａ及びプロジェクタｂともに光源Ｂを点灯した場合の色補正データ（図８の色補正データ３に対応）を算出する（Ｓ１５）。
【００４６】
次に、Ｓ８及びＳ１５のステップで算出された色補正データ２及び色補正データ３を用いて、プロジェクタａ及びプロジェクタｂともに光源Ａ及び光源Ｂを点灯した場合の色補正データ（図８の色補正データ１に対応）を算出する（Ｓ１６）。さらに、上述した各ステップで算出された幾何補正データ及び色補正データ１〜３をキャリブレーションデータとして画像変換部６０に保存する（Ｓ１７）。
【００４７】
このように、上述した方法によれば、全ての光源組み合わせに対してキャリブレーションパターンを撮影する必要がないので、キャリブレーションデータを取得する際の時間を短縮することが可能である。
【００４８】
図１１は、本実施形態のマルチプロジェクションシステムによって画像（コンテンツ）を表示する際の動作を示したフローチャートである。
【００４９】
まず、プロジェクタａ及びプロジェクタｂともに光源Ａ及び光源Ｂを点灯し（Ｓ２１）、画像変換部６０の色補正データ１を選択する（Ｓ２２）。次に、画像表示部２０によってコンテンツを再生し、コンテンツの再生を開始してからコンテンツの再生が終了するまで、光源の状態を常時チェックする（Ｓ２３〜Ｓ２６）。
【００５０】
Ｓ２５のステップで光源が不良状態（ランプ切れ）であると判断された場合には、光源Ａ及び光源Ｂのどちらが不良であるかを判断する（Ｓ２７）。光源Ａが不良である場合には、プロジェクタａ及びプロジェクタｂともに光源Ｂのみの点灯に切り換え（Ｓ２８）、さらに画像変換部６０の色補正データ３を選択する（Ｓ２９）。光源Ｂが不良である場合には、プロジェクタａ及びプロジェクタｂともに光源Ａのみの点灯に切り換え（Ｓ３０）、さらに画像変換部６０の色補正データ２を選択する（Ｓ３１）。このように光源不良が発生した場合、予め色補正データを算出してあるため、コンテンツの再生がほとんど途切れることなく、連続的にコンテンツを表示することが可能である。
【００５１】
引き続き、コンテンツの再生が終了するまで光源の状態を常時チェックする（Ｓ３２〜Ｓ３５）。コンテンツの再生が終了した後、システムをシャットダウンし、不良光源を交換する（Ｓ３６）。
【００５２】
以上のように、本実施形態によれば、点灯する光源の組み合わせ毎に予めキャリブレーションデータを算出しておくため、光源不良が発生した際にキャリブレーションデータを新たに算出する必要がない。そのため、表示がほとんど途切れることなく連続的にコンテンツ表示することが可能である。したがって、光源不良が発生した場合でも、適正な表示を維持することが可能となる。
【００５３】
（実施形態２）
次に、本発明の第２の実施形態に係るマルチプロジェクションシステム（画像投影装置）について説明する。なお、基本的な構成は第１の実施形態と同様であり、以下の説明では、主として第１の実施形態とは異なる点について説明する。
【００５４】
図１２は、本実施形態に係るマルチプロジェクションシステム（画像投影装置）の外観構成を示した説明図である。
【００５５】
第１の実施形態では一つのプロジェクタによって一つの投影ユニットを構成していたが、本実施形態では複数のプロジェクタによって一つの投影ユニットを構成している。すなわち、図１２に示すように、スタックされた二つのプロジェクタ２０ａ１及び２０ａ２によって一つの投影ユニット２０ａを構成し、二つのプロジェクタ２０ｂ１及び２０ｂ２によって一つの投影ユニット２０ｂを構成している。また、第１の実施形態では一つのプロジェクタが複数の光源を有していたが、本実施形態では一つのプロジェクタが一つの光源を有している。したがって、投影ユニットについて見れば、第１の実施形態と同様、一つの投影ユニットが複数の光源を有していることになる。
【００５６】
プロジェクタ２０ａ１及び２０ａ２には同じ画像データが入力しており、プロジェクタ２０ａ１及び２０ａ２からは実質的に同じ画像がスクリーン７０の同じ位置に投影される。プロジェクタ２０ｂ１及び２０ｂ２についても同様である。このように、複数のプロジェクタから実質的に同じ画像をスクリーンの同じ位置に投影することにより、画像の輝度を高めることができるとともに、一つの投影ユニットが二つのプロジェクタを備えているため、一方のプロジェクタの光源に不良が発生した場合でも、他方のプロジェクタが正常であれば、コンテンツを連続的に表示することが可能である。
【００５７】
図１３は、本実施形態における画像表示部２０の構成例を示したブロック図である。画像表示部２０は投影ユニット２０ａ及び２０ｂを備えており、投影ユニット２０ａはプロジェクタ２０ａ１及び２０ａ２を、投影ユニット２０ｂはプロジェクタ２０ｂ１及び２０ｂ２を備えている。また、投影ユニット２０ａ及び２０ｂにはそれぞれプロジェクタ選択部２８が設けられている。各プロジェクタ２０ａ１、２０ａ２、２０ｂ１及び２０ｂ２の基本的な構成は第１の実施形態（図４参照）と同様であるが、本実施形態では各プロジェクタ内の光源２５の個数が１個であるため、図４に示した光源ミキシング部２６は備えていない。
【００５８】
プロジェクタ制御部２１には、プロジェクタ選択部２８を介して、マルチプロジェクションシステム制御部１０から制御信号（使用光源情報等）が入力しており、プロジェクタ制御部２１によってプロジェクタ内の各部が制御される。画像入力部２２には、入力画像（入力画像ａ、入力画像ｂ）の画像データが入力しており、画像入力部２２からの画像データによって表示素子部２３で画像表示が行われる。プロジェクタ制御部２１は、使用光源情報（光源組み合わせ情報）に基づいて、光源２５を点灯するか否かを決める。点灯した光源２５からの発光光によって表示素子部２３が照明され、表示素子部２３の画像が投射光学部２７を介してスクリーン上に投影される。
【００５９】
本実施形態においても第１の実施形態と同様、点灯する光源の組み合わせ毎に予めキャリブレーションデータを算出しておく。したがって、光源不良が発生した際にキャリブレーションデータを算出する必要がなく、第１の実施形態と同様、光源不良が発生した場合でも適正な表示を維持することが可能となる。
【００６０】
（実施形態３）
次に、本発明の第３の実施形態に係るマルチプロジェクションシステム（画像投影装置）について説明する。なお、基本的な構成は第１の実施形態と同様であり、以下の説明では、主として第１の実施形態とは異なる点について説明する。
【００６１】
上述した第１の実施形態等では、光源不良の際に光源の組み合わせを変更することにより、使用する光源の数が減少する。そのため、投影ユニットから投影される画像の明るさが低下し、観察者に違和感を与えるおそれがある。本実施形態では、光源の組み合わせを変更する際に光源の発光量も変更し、光源の組み合わせの変更前後で、投影ユニットから投影される画像の輝度変化を低減するようにしている。
【００６２】
図１４は、光源の組み合わせ及び光源の発光量の一例を示した図である。図１５に示すように、プロジェクタａ及びプロジェクタｂともに光源Ａ及び光源Ｂを点灯する場合には、各光源の出力をいずれも５００Ｗとしている。プロジェクタａ及びプロジェクタｂともに光源Ａのみを点灯する場合には、点灯する光源の出力をいずれも１０００Ｗとしている。プロジェクタａ及びプロジェクタｂともに光源Ｂのみを点灯する場合にも、同様に点灯する光源の出力をいずれも１０００Ｗとしている。すなわち、各プロジェクタ（投影ユニット）で点灯される光源の数と、各プロジェクタ（投影ユニット）で点灯される各光源の発光量とが反比例するような関係となっている。その結果、観察者は、光源の組み合わせの変更前後で、スクリーンに投影された画像を略同じ明るさの画像として認識することができる。
【００６３】
図１５は、本実施形態における画像表示部２０の構成例を示したブロック図である。第１の実施形態と同様、画像表示部２０はプロジェクタ２０ａ（投影ユニット）及びプロジェクタ２０ｂ（投影ユニット）を備えている。各プロジェクタ２０ａ及びプロジェクタ２０ｂは、プロジェクタ制御部２１、画像入力部２２、表示素子部２３、光源制御部２９、複数の光源２５、光源ミキシング部２６及び投射光学部（投射光学系）２７によって構成されている。
【００６４】
プロジェクタ制御部２１には、マルチプロジェクションシステム制御部１０から制御信号（使用光源情報等）が入力しており、プロジェクタ制御部２１によってプロジェクタ内の各部が制御される。画像入力部２２には、入力画像（入力画像ａ、入力画像ｂ）の画像データが入力しており、画像入力部２２からの画像データによって表示素子部２３で画像表示が行われる。
【００６５】
光源制御部２９では、プロジェクタ制御部２１からの使用光源情報（光源組み合わせ情報）に基づいて、その時に使用する光源を選択するとともに、使用する光源の発光量（ワット数）を設定する。選択された光源２５は設定された発光量で発光し、光源２５からの発光光は光源ミキシング部２６によってミキシングされる。光源ミキシング部２６でミキシングされた光によって表示素子部２３が照明され、表示素子部２３の画像が投射光学部２７を介してスクリーン上に投影される。
【００６６】
図１６は、本実施形態におけるキャリブレーションデータの算出方法を示したフローチャートである。
【００６７】
まず、プロジェクタａ及びプロジェクタｂともに、画像表示部２０の光源２５を光源Ａ及び光源Ｂに設定するとともに、光源Ａ及び光源Ｂの出力を５００Ｗに設定する（Ｓ４１）。
【００６８】
続いて、キャリブレーションパターンの画像枚数で、以下のステップを実行する（Ｓ４２）。まず、キャリブレーションパターン生成部３０によってキャリブレーションパターンを生成し（Ｓ４３）、生成されたキャリブレーションパターンを画像表示部２０の表示素子部２３で表示する（Ｓ４４）。表示素子部２３に表示されたキャリブレーションパターンはスクリーンに投影され、投影されたキャリブレーションパターンを画像撮影部４０によって撮影する（Ｓ４５）。上述したＳ４３〜Ｓ４５のステップを、キャリブレーションパターンの画像枚数分繰り返す（Ｓ４６）。続いて、画像補正データ算出部５０により、キャリブレーションパターン撮影画像を用いて、全ての光源組み合わせに共通の幾何補正データを算出する（Ｓ４７）。さらに、画像補正データ算出部５０により、プロジェクタａ及びプロジェクタｂがいずれも光源Ａ及び光源Ｂを５００Ｗで点灯した場合の色補正データ（図１４の色補正データ１に対応）を算出する（Ｓ４８）。
【００６９】
次に、プロジェクタａ及びプロジェクタｂともに、画像表示部２０の光源２５を光源Ａに設定するするとともに、光源Ａの出力を１０００Ｗに設定する（Ｓ４９）。
【００７０】
続いて、キャリブレーションパターンの画像枚数で、以下のステップを実行する（Ｓ５０）。まず、キャリブレーションパターン生成部３０によってキャリブレーションパターンを生成し（Ｓ５１）、生成されたキャリブレーションパターンを画像表示部２０の表示素子部２３で表示する（Ｓ５２）。表示素子部２３に表示されたキャリブレーションパターンはスクリーンに投影され、投影されたキャリブレーションパターンを画像撮影部４０によって撮影する（Ｓ５３）。上述したＳ５１〜Ｓ５３のステップを、キャリブレーションパターンの画像枚数分繰り返す（Ｓ５４）。続いて、画像補正データ算出部５０により、プロジェクタａ及びプロジェクタｂともに光源Ａを１０００Ｗで点灯した場合の色補正データ（図１４の色補正データ２に対応）を算出する（Ｓ５５）。
【００７１】
次に、プロジェクタａ及びプロジェクタｂともに、画像表示部２０の光源２５を光源Ｂに設定するするとともに、光源Ｂの出力を１０００Ｗに設定する（Ｓ５６）。
【００７２】
続いて、キャリブレーションパターンの画像枚数で、以下のステップを実行する（Ｓ５７）。まず、キャリブレーションパターン生成部３０によってキャリブレーションパターンを生成し（Ｓ５８）、生成されたキャリブレーションパターンを画像表示部２０の表示素子部２３で表示する（Ｓ５９）。表示素子部２３に表示されたキャリブレーションパターンはスクリーンに投影され、投影されたキャリブレーションパターンを画像撮影部４０によって撮影する（Ｓ６０）。上述したＳ５８〜Ｓ６０のステップを、キャリブレーションパターンの画像枚数分繰り返す（Ｓ６１）。続いて、画像補正データ算出部５０により、プロジェクタａ及びプロジェクタｂともに光源Ｂを１０００Ｗで点灯した場合の色補正データ（図１４の色補正データ３に対応）を算出する（Ｓ６２）。
【００７３】
次に、上述した各ステップで算出された幾何補正データ及び色補正データ１〜３をキャリブレーションデータとして画像変換部６０に保存する。また、各色補正データ１〜３に対応して点灯光源の発光量（ワット数）もキャリブレーションデータとして画像変換部６０に保存される（Ｓ６３）。
【００７４】
図１７は、本実施形態のマルチプロジェクションシステムによって画像（コンテンツ）を表示する際の動作を示したフローチャートである。
【００７５】
まず、プロジェクタａ及びプロジェクタｂともに光源Ａ及び光源Ｂを５００Ｗで点灯し（Ｓ７１）、画像変換部６０の色補正データ１を選択する（Ｓ７２）。次に、画像表示部２０によってコンテンツを再生し、コンテンツの再生を開始してからコンテンツの再生が終了するまで、光源の状態を常時チェックする（Ｓ７３〜Ｓ７６）。
【００７６】
Ｓ２７のステップで光源が不良状態（ランプ切れ）であると判断された場合には、光源Ａ及び光源Ｂのどちらが不良であるかを判断する（Ｓ７７）。光源Ａが不良である場合には、プロジェクタａ及びプロジェクタｂともに光源Ｂのみの点灯に切り換えるとともに光源Ｂの出力を１０００Ｗに設定し（Ｓ７８）、さらに画像変換部６０の色補正データ３を選択する（Ｓ７９）。光源Ｂが不良である場合には、プロジェクタａ及びプロジェクタｂともに光源Ａのみの点灯に切り換えるとともに光源Ａの出力を１０００Ｗに設定し（Ｓ８０）、さらに画像変換部６０の色補正データ２を選択する（Ｓ８１）。このように光源不良が発生した場合、予め色補正データを算出してあるため、コンテンツの再生がほとんど途切れることなく、連続的にコンテンツを表示することが可能である。
【００７７】
引き続き、コンテンツの再生が終了するまで光源の状態を常時チェックする（Ｓ８２〜Ｓ８５）。コンテンツの再生が終了した後、システムをシャットダウンし、不良光源を交換する（Ｓ８６）。
【００７８】
このように、本実施形態においても第１の実施形態と同様、点灯する光源の組み合わせ毎に予めキャリブレーションデータを算出しておくため、光源不良が発生した際にキャリブレーションデータを算出する必要がなく、第１の実施形態と同様、光源不良が発生した場合でも適正な表示を維持することが可能となる。また、本実施形態では、光源の組み合わせを変更したときに光源の発光量も変更するため、投影ユニットから投影される画像の輝度変化を低減することができ、観察者に違和感を与えることなく適正な表示を維持することが可能となる。
【００７９】
（実施形態４）
次に、本発明の第４の実施形態に係るマルチプロジェクションシステム（画像投影装置）について説明する。なお、基本的な構成は第１の実施形態と同様であり、以下の説明では、主として第１の実施形態とは異なる点について説明する。
【００８０】
図１８は、本実施形態に係るマルチプロジェクションシステム（画像投影装置）の外観構成を示した説明図である。図１９は、図１８に示した各プロジェクタ２０ａ及び２０によって投影された画像のスクリーン７０上の画素配列状態を示した図である。
【００８１】
本実施形態でも、第１の実施形態と同様、一つのプロジェクタによって一つの投影ユニットが構成されている。本実施形態では、図１９に示すように、プロジェクタ２０ａからスクリーン７０上に投影された画像と、プロジェクタ２０ｂからスクリーン７０上に投影された画像との間で、１／２画素分だけ画像をシフトするようにしている。図１９では、画素ピッチをｐ、シフト量をｐ／２として示している。このように画像をシフトすることで、高精細な画像を表示することが可能である。
【００８２】
本実施形態においても第１の実施形態と同様、点灯する光源の組み合わせ毎に予めキャリブレーションデータを算出しておくことにより、光源不良が発生した際にキャリブレーションデータを算出する必要がなく、第１の実施形態と同様、光源不良が発生した場合でも適正な表示を維持することが可能となる。
【００８３】
（実施形態５）
次に、本発明の第５の実施形態に係るマルチプロジェクションシステム（画像投影装置）について説明する。なお、基本的な構成は第１の実施形態と同様であり、以下の説明では、主として第１の実施形態とは異なる点について説明する。
【００８４】
本実施形態では、各光源２５に、以下に示すようなＬＥＤユニットを用いている。なお、一つのＬＥＤユニットには複数のＬＥＤが設けられているが、一つのＬＥＤユニットが一つの光源に対応している。
【００８５】
図２０は本実施形態に係る光源２５（ＬＥＤユニット）の構成を示した図であり、図２１はこのＬＥＤユニットの電気的な構成を示したブロック図である。なお、図２０（ｂ）は図２０（ａ）の矢視ＡＡ’線正面図である。
【００８６】
本実施形態に係る照明装置（ＬＥＤユニット）は、回動可能な保持具であるロッドホルダ１１０に取り付けられたＬ字型の光学面で構成された角型の光学手段である導光ロッド部材１１１を、駆動手段としての回転モータ１１２で回転し、ドラム状に形成した発光体基板１１３の内周に配列した複数の発光体としてのＬＥＤ１１４を、上記導光ロッド部材１１１の回転に併せて順次点灯する。
【００８７】
なお、導光ロッド部材１１１を角型とした理由は、ＬＥＤ１１４が矩形であるためその形状に近いことが効率が高いことと、Ｌ字型に折り曲げるときの損失を最小限に抑えることである。また、この導光ロッド部材１１１は、材質が照明光束の波長域に対して透明なガラスもしくは樹脂で、効率の観点から側面での全反射で導光するように、全面鏡面加工の光学面で構成されたものである。
【００８８】
ここで、このＬ字状の導光ロッド部材１１１は、一体成形で製作しても良いし、図２０に示すように、角柱の平行ロッド１１５と光路折り曲げ用の斜面に反射コートを施した反射プリズム１１６とテーパーロッド１１７との３部品を接合して形成しても良い。なお、３部品を接合して形成する場合、平行ロッド１１５、反射プリズム１１６、テーパーロッド１１７の各部材の屈折率が同じ屈折率である必要はない。ここで、平行ロッド１１５及びテーパーロッド１１７の屈折率よりも、反射プリズム１１６の屈折率が高い方が部材の側面から漏れる光が少なくなるので、より望ましい。これは、反射プリズム１１６を通った光線のうち、平行ロッド１１５又はテーパーロッド１１７の側面で反射せず透過してしまうような角度の光線を、反射プリズム１１６の屈折率を高くすることで、平行ロッド１１５と反射プリズム１１６との接合面、または、テーパーロッド１１７と反射プリズム１１６の接合面で反射プリズム１１６内に反射させることができ、結果、部材の側面から漏れる光を減らすことができるためである。
【００８９】
上記ＬＥＤ１１４は、赤（Ｒ）色、緑（Ｇ）色、青（Ｂ）色の発光色を持つものがそれぞれ所定個数ずつを１セットとして２セットがドラム状の発光体基板１１３の内周に配列されている。
【００９０】
そして、上記導光ロッド部材１１１の出射端面を仮想光源として、図示しない被照明領域を照明するものであるが、本実施形態においては、この導光ロッド部材１１１の出射端面後段に、角度ムラ低減のため、光束形状変換素子であるビーム整形ディフューザ（以下、ＬＳＤ（ＬＳＤは米国における登録商標）と称する。）１１８を配設する。
【００９１】
さらに、上記ロッドホルダ１１０の側面近傍位置に、該ロッドホルダ１１０の回転位置を検出するための回転センサ１２２が配されている。この回転センサ１２２としては、例えばフォトリフレクタを用い、上記ロッドホルダ１１０の側面に貼付された反射板で反射された光の検出により上記ロッドホルダ１１０の１回転を検出するようなものが利用できる。
【００９２】
この回転センサ１２２による回転位置検出信号は、モータ駆動制御回路１２３及び発光タイミング制御回路１２４に入力される。
【００９３】
ここで、上記モータ駆動制御回路１２３は、上記回転モータ１１２を制御するものであり、上記回転モータ１１２と共に、上記導光ロッド部材１１１を回転可能に駆動する可動手段を構成する。すなわち、上記モータ駆動制御回路１２３は、ユーザによるボタン操作等に従って動作命令部１２５から動作開始信号が入力されると、上記回転モータ１１２の回転を開始させ、上記回転センサ１２２によるロッドホルダ１１０の回転位置検出結果に従って上記回転モータ１１２が一定速度で回転するよう駆動制御する。
【００９４】
また、上記発光タイミング制御回路１２４は、上記光量モニタ１２１、回転センサ１２２、及び上記光量モニタ１２１による光量検出結果が入力されるＬＥＤ駆動制御回路１２６と共に、上記複数のＬＥＤ１１４の発光タイミングを制御する点灯制御手段を構成するものである。なお、上記ＬＥＤ駆動制御回路１２６は、駆動ＬＥＤ選択回路１２７とＬＥＤ駆動電流制御回路１２８とからなる。
【００９５】
すなわち、上記発光タイミング制御回路１２４は、上記回転センサ１２２による上記ロッドホルダ１１０の回転位置検出に基づいてタイミング信号を発生して、上記ＬＥＤ駆動制御回路１２６の駆動ＬＥＤ選択回路１２７に入力する。この駆動ＬＥＤ選択回路１２７は、その入力されたタイミング信号に従って、上記発光体基板１１３上に実装された各ＬＥＤ１１４を駆動するための各ＬＥＤ駆動回路１２９に選択的に駆動制御信号を与えることで、上記導光ロッド部材１１１の入射面つまり平行ロッド１１５の入射面位置となったＬＥＤ１１４を順次点灯させるよう制御する。またこのときの上記ＬＥＤ駆動回路１２９によるＬＥＤ１１４の駆動電流は、上記ＬＥＤ駆動制御回路１２６のＬＥＤ駆動電流制御回路１２８によって、上記光量モニタ１２１で光量検出した出射光の増減に応じて、ＬＥＤ１１４の発光光量が最適となるように制御される。
【００９６】
なお、上記ドラム状の発光体基板１１３の外周には放熱板１３０が設けられており、ＬＥＤ１１４の発光に伴って発生される熱を放熱することで、熱によるＬＥＤ１１４の特性変化を防止し、該照明装置を連続運転しても安定した照明が得られるようになっている。
【００９７】
このように、複数のＬＥＤ１１４を順次切り替えパルス発光させ、放射光を取込む導光ロッド部材１１１との相対位置関係をＬＥＤ１１４の発光切り替えに併せて選択しながら変移させることによって、それぞれ導光ロッド部材１１１が１回転する過程で赤（Ｒ）色、青（Ｂ）色、緑（Ｇ）色、赤（Ｒ）色、青（Ｂ）色、緑（Ｇ）色の順に、発光する光の色が切り替わり、実効的に高輝度の３色のＬＥＤが得られ、大光量の平行度の向上した３色の光が導光ロッド部材１１１の出射端面から得られることになる。なお、発光色の順序は上記に限定されるものではなく、適宜設定されれば良い。
【００９８】
なお、この構成では、ＬＥＤ１１４と導光ロッド部材１１１の相対位置変移を、導光ロッド部材１１１を回転させることで行っているが、ＬＥＤ１１４を移動させることによっても実現し得る。しかしながら、導光ロッド部材１１１を移動するほうがＬＥＤ１１４への給電の観点からみれば好適である。この場合、例えば導光ロッド部材１１１の出射端面内の光強度分布は導光ロッド部材１１１の長さがある程度あればムラが小さくなっているため、この出射端面を均一度の高い仮想の矩形上面光源と見なせるため、被照明領域と導光ロッド部材１１１の出射端面とを共役関係にして照明するクリティカル照明を行っても良いが、本構成のように導光ロッド部材１１１が複数ある場合、各導光ロッド部材１１１の出射端面の周縁部が被照明領域に投影されて照明されるため、照明ムラになってしまう。実際には回転するため、照明領域は円形形状となり回転速度によっては見た目的には周縁部がわからないが、ある瞬間において、ロッド出射端面の周縁部が照明ムラとなっており、時々刻々照明ムラが領域内で変移することになってしまい、被照明領域に表示デバイスを配して画像投影装置を構成しようとした場合には、時分割で階調表現を行うような表示デバイスには適用できない。これに対し、導光ロッド部材１１１から射出される光束の角度強度分布を被照明領域における位置強度分布に変換するケーラー照明の場合には、導光ロッド部材１１１が変移しても、導光ロッド部材１１１から射出される光束の角度強度分布は変化しないため、被照明領域における照明ムラが小さい照明装置が実現できる。
【００９９】
本実施形態においても第１の実施形態と同様、点灯する光源（ＬＥＤユニット）の組み合わせ毎に予めキャリブレーションデータを算出しておくことにより、光源不良が発生した際にキャリブレーションデータを算出する必要がなく、第１の実施形態と同様、光源不良が発生した場合でも適正な表示を維持することが可能となる。
【０１００】
以上、本発明の実施形態を説明したが、本発明は上記実施形態に限定されるものではなく、その趣旨を逸脱しない範囲内において種々変形して実施することが可能である。さらに、上記実施形態には種々の段階の発明が含まれており、開示された構成要件を適宜組み合わせることによって種々の発明が抽出され得る。例えば、開示された構成要件からいくつかの構成要件が削除されても、所定の効果が得られるものであれば発明として抽出され得る。
【図面の簡単な説明】
【０１０１】
【図１】本発明の第１の実施形態に係るマルチプロジェクションシステムの機能的な構成を示したブロック図である。
【図２】本発明の第１の実施形態に係るマルチプロジェクションシステムの外観構成を示した説明図である。
【図３】図１に示したマルチプロジェクションシステムにおけるマルチプロジェクションシステム制御部の構成例を示したブロック図である。
【図４】図１に示したマルチプロジェクションシステムにおける画像表示部の構成例を示したブロック図である。
【図５】図１に示したマルチプロジェクションシステムにおける画像補正データ算出部の構成例を示したブロック図である。
【図６】図１に示したマルチプロジェクションシステムにおける画像変換部の構成例を示したブロック図である。
【図７】本発明の第１の実施形態に係り、光源の組み合わせの一例を説明するための図である。
【図８】本発明の第１の実施形態に係り、光源の組み合わせの他の例を説明するための図である。
【図９】本発明の第１の実施形態に係り、キャリブレーションデータの算出方法を示したフローチャートである。
【図１０】図１０に示したキャリブレーションデータの算出方法を用いたときの画像補正データ算出部の構成を示したブロック図である。
【図１１】本発明の第１の実施形態に係り、コンテンツを表示する際の動作を示したフローチャートである。
【図１２】本発明の第２の実施形態に係るマルチプロジェクションシステムの外観構成を示した説明図である。
【図１３】本発明の第２の実施形態に係るマルチプロジェクションシステムにおける画像表示部の構成例を示したブロック図である。
【図１４】本発明の第３の実施形態に係り、光源の組み合わせ及び光源の発光量の一例を説明するための図である。
【図１５】本発明の第３の実施形態に係るマルチプロジェクションシステムにおける画像表示部の構成例を示したブロック図である。
【図１６】本発明の第３の実施形態に係り、キャリブレーションデータの算出方法を示したフローチャートである。
【図１７】本発明の第３の実施形態に係り、コンテンツを表示する際の動作を示したフローチャートである。
【図１８】本発明の第４の実施形態に係るマルチプロジェクションシステムの外観構成を示した説明図である。
【図１９】本発明の第４の実施形態に係り、スクリーン上に投影された画像の画素配列状態を示した図である。
【図２０】本発明の第４の実施形態に係り、光源の構成例を示した図である。
【図２１】本発明の第４の実施形態に係り、光源の電気的な構成例を示したブロック図である。
【符号の説明】
【０１０２】
１０…マルチプロジェクションシステム制御部
１１…キャリブレーションパターン生成部制御部
１２…画像撮影部制御部    １３…画像表示部制御部
１４…画像補正データ算出部制御部    １５…画像変換部制御部
１６…光源組み合わせ生成部    ２０…画像表示部
２０ａ、２０ｂ…プロジェクタ（投影ユニット）
２０ａ１、２０ａ２、２０ｂ１、２０ｂ２…プロジェクタ
２１…プロジェクタ制御部    ２２…画像入力部
２３…表示素子部    ２４…光源選択部
２５…光源    ２６…光源ミキシング部
２７…投射光学部    ２８…プロジェクタ選択部
２９…光源制御部    ３０…キャリブレーションパターン生成部
４０…画像撮影部    ５０…画像補正データ算出部
５１…撮影画像データ保存部    ５２…幾何補正データ算出部
５３…色補正データ算出部    ５４…補正データ一時保全部
６０…画像変換部    ６１…補正データ保存部
６２…幾何補正部    ６３…色補正部
６４…色補正データ選択部    ７０…スクリーン
【図１】
2005204165.tif 000003
【図２】
2005204165.tif 000004
【図３】
2005204165.tif 000005
【図４】
2005204165.tif 000006
【図５】
2005204165.tif 000007
【図６】
2005204165.tif 000008
【図７】
2005204165.tif 000009
【図８】
2005204165.tif 000010
【図９】
2005204165.tif 000011
【図１０】
2005204165.tif 000012
【図１１】
2005204165.tif 000013
【図１２】
2005204165.tif 000014
【図１３】
2005204165.tif 000015
【図１４】
2005204165.tif 000016
【図１５】
2005204165.tif 000017
【図１６】
2005204165.tif 000018
【図１７】
2005204165.tif 000019
【図１８】
2005204165.tif 000020
【図１９】
2005204165.tif 000021
【図２０】
2005204165.tif 000022
【図２１】
2005204165.tif 000023